(57)【要約】【課題】携帯電話機での消費電力を節約し通話時間や待受け時間を長くする。【解決手段】基地局毎にその基地局の通信エリア（セル）に留まった携帯電話機の時間を累積し、この累積時間が長い上位Ｍ（例えば、Ｍ＝２）番目までのセルに携帯電話機が入った場合（ステップ６０２のＹＥＳ）、通信品質の測定周期を短周期から長周期へ変更する。携帯電話機がセルに入ってからの滞留時間を計測し、この滞留時間が予め定められた所定時間Ｔ（例えば、Ｔ＝３時間）に達した場合（ステップ６０９のＹＥＳ）、通信品質の測定周期を短周期から長周期へ変更する。【選択図】  図６
2006229292.tif 000002
【特許請求の範囲】
【請求項１】
携帯通信端末と基地局との間の通信品質を前記携帯通信端末側で周期的に測定する通信品質測定方法において、
前記携帯通信端末の前記基地局の通信エリアに留まった時間に基づいて前記通信品質の測定周期を変更する通信品質測定周期変更ステップ
を有することを特徴とする通信品質測定方法。
【請求項２】
請求項１に記載された通信品質測定方法において、
前記通信品質測定周期変更ステップは、
前記基地局毎にその基地局の通信エリアに留まった前記携帯通信端末の時間を累積し、この累積時間に基づいて前記通信品質の測定周期を変更する
ことを特徴とする通信品質測定方法。
【請求項３】
請求項１に記載された通信品質測定方法において、
前記通信品質測定周期変更ステップは、
前記基地局毎にその基地局の通信エリアに留まった前記携帯通信端末の時間を累積し、この累積時間が長い上位Ｍ（Ｍ≧１）番目までの基地局の通信エリアに前記携帯通信端末が入った場合、前記通信品質の測定周期を短周期から長周期へ変更する
ことを特徴とする通信品質測定方法。
【請求項４】
請求項１に記載された通信品質測定方法において、
前記通信品質測定周期変更ステップは、
前記携帯通信端末が前記基地局の通信エリアに入ってからの滞留時間を計測し、この滞留時間に基づいて前記通信品質の測定周期を変更する
ことを特徴とする通信品質測定方法。
【請求項５】
請求項１に記載された通信品質測定方法において、
前記通信品質測定周期変更ステップは、
前記携帯通信端末が前記基地局の通信エリアに入ってからの滞留時間を計測し、この滞留時間が予め定められた所定時間に達した場合、前記通信品質の測定周期を短周期から長周期へ変更する
ことを特徴とする通信品質測定方法。
【請求項６】
請求項１に記載された通信品質測定方法において、
前記通信品質測定周期変更ステップは、
前記基地局毎にその基地局の通信エリアに留まった前記携帯通信端末の時間を累積し、この累積時間が長い上位Ｍ（Ｍ≧１）番目までの基地局の通信エリアに前記携帯通信端末が入った場合、前記通信品質の測定周期を短周期から長周期へ変更するステップと、
前記携帯通信端末が入った通信エリアが前記累積時間が長い上位Ｍ番目までの基地局の通信エリアでなかった場合、その通信エリアに前記携帯通信端末が入ってからの滞留時間を計測し、この滞留時間が予め定められた所定時間に達した場合、前記通信品質の測定周期を短周期から長周期へ変更するステップと
を有することを特徴とする通信品質測定方法。
【請求項７】
請求項２、３および６の何れか１項に記載された通信品質測定方法において、
前記基地局毎にその基地局の通信エリアに留まった前記携帯通信端末の累積時間をチェックし、予め定められた一定期間、その累積時間が更新されなかった場合、その累積時間と基地局との関係を示す基地局情報を削除するステップ
を有することを特徴とする通信品質測定方法。
【請求項８】
基地局との間の通信品質を周期的に測定する通信品質測定手段を有する携帯通信端末において、
前記基地局の通信エリアに留まった時間に基づいて前記通信品質の測定周期を変更する通信品質測定周期変更手段
を有することを特徴とする携帯通信端末。
【請求項９】
請求項８に記載された携帯通信端末において、
前記通信品質測定周期変更手段は、
前記基地局毎にその基地局の通信エリアに留まった前記携帯通信端末の時間を累積し、この累積時間に基づいて前記通信品質の測定周期を変更する
ことを特徴とする携帯通信端末。
【請求項１０】
請求項８に記載された携帯通信端末において、
前記通信品質測定周期変更手段は、
前記基地局毎にその基地局の通信エリアに留まった前記携帯通信端末の時間を累積し、この累積時間が長い上位Ｍ（Ｍ≧１）番目までの基地局の通信エリアに前記携帯通信端末が入った場合、前記通信品質の測定周期を短周期から長周期へ変更する
ことを特徴とする携帯通信端末。
【請求項１１】
請求項８に記載された携帯通信端末において、
前記通信品質測定周期変更手段は、
前記携帯通信端末が前記基地局の通信エリアに入ってからの滞留時間を計測し、この滞留時間に基づいて前記通信品質の測定周期を変更する
ことを特徴とする携帯通信端末。
【請求項１２】
請求項８に記載された携帯通信端末において、
前記通信品質測定周期変更手段は、
前記携帯通信端末が前記基地局の通信エリアに入ってからの滞留時間を計測し、この滞留時間が予め定められた所定時間に達した場合、前記通信品質の測定周期を短周期から長周期へ変更する
ことを特徴とする携帯通信端末。
【請求項１３】
請求項８に記載された携帯通信端末において、
前記通信品質測定周期変更手段は、
前記基地局毎にその基地局の通信エリアに留まった前記携帯通信端末の時間を累積し、この累積時間が長い上位Ｍ（Ｍ≧１）番目までの基地局の通信エリアに前記携帯通信端末が入った場合、前記通信品質の測定周期を短周期から長周期へ変更する手段と、
前記携帯通信端末が入った通信エリアが前記累積時間が長い上位Ｍ番目までの基地局の通信エリアでなかった場合、その通信エリアに前記携帯通信端末が入ってからの滞留時間を計測し、この滞留時間が予め定められた所定時間に達した場合、前記通信品質の測定周期を短周期から長周期へ変更する手段と
を有することを特徴とする携帯通信端末。
【請求項１４】
請求項９、１０および１３の何れか１項に記載された携帯通信端末において、
前記基地局毎にその基地局の通信エリアに留まった前記携帯通信端末の累積時間をチェックし、予め定められた一定期間、その累積時間が更新されなかった場合、その累積時間と基地局との関係を示す基地局情報を削除する手段
を有することを特徴とする携帯通信端末。
【発明の詳細な説明】
【技術分野】
【０００１】
この発明は、携帯通信端末と基地局との間の通信品質を携帯通信端末側で周期的に測定する通信品質測定方法および携帯通信端末に関するものである。
【背景技術】
【０００２】
近年、携帯通信端末として携帯電話機を用いる携帯電話システムは、ＰＤＣなどの第２世代のシステムからＷ−ＣＤＭＡなどの第３世代のシステムへ移行して来ている。Ｗ−ＣＤＭＡのシステムでは、ＰＤＣなどのシステムに比べ、一般的に携帯電話機における消費電力が高く、この消費電力を如何にして減らすかが課題の一つになっている。消費電力が高いと、通話時間や待受け時間が短くなってしまう。
【０００３】
携帯電話機では、通話やパケット通信を行っていない待ち受けの状態でも、ユーザへ通知するアンテナバー（アンテナピクト）を表示するため、現在その通信エリア内にある基地局との間の無線状態の品質（通信品質）を常に測定している。従来は、基地局との間の通品品質の測定を一定周期で行っており、この一定周期での通信品質の測定が携帯電話機での消費電力を増加させる一因となっている。
【０００４】
このため、例えば特許文献１では、基地局との間の通信品質の測定周期を制御することにより、携帯電話機での消費電力の節約を図るようにしている。すなわち、基地局との間の通信品質のレベルに応じ、通信品質のレベルが高い場合には通信品質の測定周期を長くし、通信品質のレベルが低い場合には通信品質の測定周期を短くするようにしている。
【０００５】
【特許文献１】特開２００１−１６９３３９号公報
【発明の開示】
【発明が解決しようとする課題】
【０００６】
しかしながら、上述した特許文献１に示された技術によると、携帯電話機を持つユーザが或る基地局の通信エリアに長時間留まり、ビルなどの影に隠れるなどして、基地局との間の通信品質のレベルが低い状態が長時間続いたような場合、通信品質の測定周期が短くなり続け、携帯電話機での消費電力が増大してしまう。例えば、ユーザが会社の自席で仕事をしていたり、自宅に居たり、就寝しているような場合、このような状態になる虞れがある。
【０００７】
本発明は、このような課題を解決するためになされたもので、その目的とするところは、会社や自宅など携帯通信端末を持つユーザが長時間留まると思われる基地局の通信エリアでは、基地局との間の通信品質のレベルに拘わらず通信品質の測定周期を長くして、携帯通信端末での消費電力の増大を防ぐことが可能な通信品質測定方法および携帯通信端末を提供することにある。
【課題を解決するための手段】
【０００８】
このような目的を達成するために本発明は、携帯通信端末と基地局との間の通信品質を携帯通信端末側で周期的に測定する通信品質測定方法において、携帯通信端末の基地局の通信エリアに留まった時間に基づいて通信品質の測定周期を変更するようにしたものである。例えば、基地局毎にその基地局の通信エリアに留まった携帯通信端末の時間を累積し、この累積時間に基づいて通信品質の測定周期を変更する（方式１）。携帯通信端末が基地局の通信エリアに入ってからの滞留時間を計測し、この滞留時間に基づいて通信品質の測定周期を変更する（方式２）。
【０００９】
例えば、方式１では、基地局毎にその基地局の通信エリアに留まった携帯通信端末の時間を累積し、この累積時間が長い上位Ｍ（Ｍ≧１）番目までの基地局の通信エリアに携帯通信端末が入った場合、通信品質の測定周期を短周期から長周期へ変更する。方式２では、携帯通信端末が基地局の通信エリアに入ってからの滞留時間を計測し、この滞留時間が予め定められた所定時間に達した場合、通信品質の測定周期を短周期から長周期へ変更する。
【００１０】
なお、方式１と方式２とを組合せ、基地局毎にその基地局の通信エリアに留まった携帯通信端末の時間を累積し、この累積時間が長い上位Ｍ番目までの基地局の通信エリアに携帯通信端末が入った場合、通信品質の測定周期を短周期から長周期へ変更するようにし、携帯通信端末が入った通信エリアが累積時間が長い上位Ｍ番目までの基地局の通信エリアでなかった場合、その通信エリアに携帯通信端末が入ってからの滞留時間を計測し、この滞留時間が予め定められた所定時間に達した場合、通信品質の測定周期を短周期から長周期へ変更するようにしてもよい。
【００１１】
また、方式１とする場合や方式１と方式２との組合せとする場合、基地局の通信エリアに留まった携帯通信端末の累積時間をチェックし、予め定められた一定期間、その累積時間が更新されなかった場合、その累積時間と基地局との関係を示す基地局情報を削除するようにしてもよい。
また、本発明は、上述した通信品質測定方法を適用した携帯通信端末（携帯電話機、ＰＨＳ、通信機能を有するＰＤＡなどの携帯機器を含む）としても構成することができる。
【発明の効果】
【００１２】
本発明によれば、携帯通信端末の基地局の通信エリアに留まった時間に基づいて通信品質の測定周期を変更するようにしたので、例えば、基地局毎にその基地局の通信エリアに留まった携帯通信端末の時間を累積し、この累積時間が長い上位Ｍ番目までの基地局の通信エリアに携帯通信端末が入った場合、通信品質の測定周期を短周期から長周期へ変更するようにしたり、携帯通信端末が基地局の通信エリアに入ってからの滞留時間を計測し、この滞留時間が予め定められた所定時間に達した場合、通信品質の測定周期を短周期から長周期へ変更するようにしたりして、会社や自宅など携帯通信端末を持つユーザが長時間留まると思われる基地局の通信エリアでは、基地局との間の通信品質のレベルに拘わらず通信品質の測定周期を長くして、携帯通信端末での消費電力の増大を防ぐことが可能となる。
【発明を実施するための最良の形態】
【００１３】
以下、本発明を図面に基づいて詳細に説明する。図１は本発明の実施に用いる携帯電話システムの一例を示し、ＩＭＴ−２０００と呼ばれるＷ−ＣＤＭＡの携帯電話システムのブロック構成図である。この携帯電話システム１００において、１は携帯電話機、２は基地局、３は基地局２を統括制御するＲＮＣ（Radio Network Contoroller ）、４は位置登録の制御や呼制御、ユーザ情報などを管理するＣＮ（Core Netowork ）であり、基地局２にＲＮＣ３が接続され、ＲＮＣ３にＣＮ４が接続されている。なお、Ｓは基地局２の通信エリア（以下、セルと呼ぶ）であり、図では１つしか示していないが基地局２はシステム中に多数存在する。
【００１４】
図２に携帯電話機１のハード構成の概略を示す。同図において、１−１はＣＰＵ（Central Processing Unit:中央演算処理装置）、１−２はＲＡＭ（Random Access Memory）、１−３はＲＯＭ（Read Only Memory）、１−４は操作部、１−５は表示部、１−６，１−７はインターフェイスである。ＣＰＵ１−１は、ＲＡＭ１−２にアクセスしながら、ＲＯＭ１−３に格納されたプログラムに従って動作する。ＲＯＭ１−３には、本実施の形態特有のプログラムとして、通信品質測定周期変更プログラムが格納されている。
【００１５】
図３にＷ−ＣＤＭＡの携帯電話システムで想定されている無線インターフェイスのプロトコルアーキテクチャを示す。このプロトコルアーキテクチャにおいて、無線リソースを制御するＲＲＣ（Radio Resource Control：Layer4）は、上位レイヤへデータ伝送サービスを提供するＲＬＣ（Radio Link Layer：Layer3）、ＲＬＣへ論理チャネルの伝送や無線リソースの割り当てを行うＭＡＣ（Medium Access Control：Layer2 ）を介し、トランスポートチャネルによる無線伝送や無線品質等を測定するＰＨＹ（物理レイヤ：Layer1）へ接続される。このプロトコルアーキテクチャにおいて、通信品質測定の制御は、ＲＲＣがＰＨＹに指示することで実現される。
【００１６】
携帯電話機１は、音声通話やテレビ電話、パケット通信を行っていない待ち受けの状態でも、ユーザへ通知するアンテナバー（アンテナピクト）を表示するため、現在その通信エリア内にある基地局２との無線状態の品質（通信品質）を常に測定する。この例では、図３に示したプロトコルアーキテクチャにおいて、ＲＲＣがＰＨＹに定期的な通信品質の測定指示を行い、その測定結果をＲＲＣがＰＨＹから受信し、その結果をアプリケションへ転送し、アンテナバーという形でユーザへ通知する。
【００１７】
一般的に、携帯電話機が電力を消費する時間は携帯電話機のＣＰＵが動作している時間であるため、通信品質の測定が周期的に実施された場合、通信品質の測定とアンテナバーの表示に電力を要し、その分消費電力が増えることになる。従来は、基地局との間の通信品質の測定を一定周期で行っていたため、この一定周期での通信品質の測定が携帯電話機での消費電力を増加させる一因となっていた。
【００１８】
これに対し、本実施の形態の携帯電話機１では、携帯電話機１を持つユーザが基地局２のセルＳに長時間留まった場合、ユーザへの通信品質の通知要求が高くないと判断し、通信品質の測定周期を短周期ＴＳから長周期ＴＬへ変更するようにする。すなわち、携帯電話機１を持つユーザが基地局２のセルＳに長時間留まった場合、ユーザが会社の自席で仕事をしていたり、自宅に居たり、就寝しているものと判断し、通信品質の測定周期を短周期ＴＳから長周期ＴＬへ変更するようにする。
【００１９】
具体的には、次のような条件１と条件２とを定め、条件１と条件２のどちらかが満たされれば、通信品質の測定周期を短周期ＴＳから長周期ＴＬへと変更する。
(１)条件１
基地局２毎にその基地局２のセルＳに留まった携帯電話機１の時間（滞留時間）を累積し、この累積時間（累積滞留時間）が長い上位Ｍ（Ｍ≧１）番目までの基地局２のセルＳに携帯電話機１が入った場合。
(２)条件２
携帯電話機１が基地局２のセルＳに入ってからの滞留時間を計測し、この滞留時間が予め定められた所定時間Ｔに達した場合。
【００２０】
図４は基地局２毎にその基地局２のセルＳに留まった携帯電話機１の時間を累積したセル保存リストの一例を示す図である。このセル保存リストは携帯電話機１側で作成される。携帯電話機１は、基地局２のセルＳをその基地局２から送られてくるスクランブリングコード（ＳＲＣＤ）と周波数（ＦＩＤ）との組合せとして管理し、セルＳ毎にそのセルＳに留まった携帯電話機１の累積時間を記憶する。携帯電話機１の累積時間の算出については後述する。なお、スクランブリングコード（ＳＲＣＤ）とは、Ｗ−ＣＤＭＡのシステムで使用される拡散コードで、基地局毎に異なる値が設定される。また、周波数（ＦＩＤ）とは、その基地局が定める携帯電話機との間の通信品質の測定周波数（ｆ＝１／ＴＳ）のことである。
【００２１】
このセル保存リストにおいて、１行毎の情報、すなわち「セル」，「スクランブリングコード」，「周波数」，「累積時間」の情報の塊をセル情報（基地局情報）と呼ぶ。本実施の形態では、Ｎ（Ｎ＞Ｍ）個のセル情報を保存し管理することができるものとする。また、このセル保存リストは、携帯電話機１が他のセルＳへ移動したタイミングで更新され、そのセル情報が累積時間の長い順に並べ替えられる。
【００２２】
次に、図６に示すフローチャートを参照しながら、携帯電話機１におけるＣＰＵ１−１の通信品質測定周期変更プログラムに従う処理動作について説明する。なお、前提条件として、携帯電話機１内には既に図４に示した内容のセル保存リストが作成されているものとする。また、ここでは暫定的に、Ｍ＝２個、Ｔ＝３時間、ＴＳ＝２秒、ＴＬ＝２０秒とする。また、携帯電話機１を持つユーザの行動として、図５に示すように、最初は基地局２−３のセルＳ３に居り、セルＳ３から基地局２−１のセルＳ１に移動し、その後４時間セルＳ１に留まった後、基地局２−２のセルＳ２へ移動し、セルＳ２に４時間留まった後、他の任意のセルへ移動する場合を想定する。また、参考として、この際のタイムチャートを図７に示す。
【００２３】
〔セルＳ３からＳ１への移動：移動１〕
ユーザがセルＳ３からセルＳ１へ移動すると、ＣＰＵ１−１は、セルタイマ（ソフトタイマ）を起動する（ステップ６０１：図７の＃１）。また、基地局２−３から送られてくるスクランブリングコードと周波数との組合せから、移動先のセルがセルＳ１であることを認識し、セル保存リスト（図４）内のセル情報をチェックする（ステップ６０２）。ここで、セルＳ１に滞留した携帯電話機１の累積時間が上位Ｍ番目までに入っていれば（ステップ６０３のＹＥＳ）、ステップ６０４へ進み、上位Ｍ番目までに入っていなければ（ステップ６０３のＮＯ）、ステップ６０９へ進む。
【００２４】
この場合、セルＳ１に滞留した携帯電話機１の累積時間は「１００日」で、リスト中の最上位であり、上位Ｍ（Ｍ＝２）番目までに入っているので、ステップ６０４へ進む。ステップ６０４において、ＣＰＵ１−１は、通信品質の測定周期を通常の通信品質の測定周期である短周期ＴＳから長周期ＴＬに変更する（図７の＃２）。これにより、ユーザがセルＳ１に留まっている間、通信品質の測定周期が長周期ＴＬとされ、通信品質の測定回数が減少し、携帯電話機１での消費電力の増大が防がれる。
【００２５】
〔セルＳ１からＳ２への移動：移動２〕
その後、セルＳ１に４時間留まった後、セルＳ２へユーザが移動すると、ＣＰＵ１−１は、このセル間の移動を検知し（ステップ６０５のＹＥＳ）、ステップ６０１でその計時を開始したセルタイマをリセットすると共に（ステップ６０６）、セル保存リストを更新し（ステップ６０７：図７の＃３）、通信品質の測定周期をそれまでの長周期ＴＬから短周期ＴＳへ変更する（ステップ６０８：図７の＃４）。
【００２６】
図８にこの時の更新後のセル保存リストを示す。この場合、ＣＰＵ１−１は、セルタイマのリセット直前の計時時間を読み取り、この計時時間をそれまでのセルＳ１における累積時間にプラスし、セルＳ１における新たなる累積時間とする。また、セル保存リストの更新に際し、そのセル情報を累積時間の長い順に並べ替える。この例では、ユーザがセルＳ１に４時間留まったので、セルＳ１における累積時間が「１００日４時間」とされ、この累積時間は前回と同じくリスト中の最上位なので、セル情報の順番はそのままとなる。
【００２７】
次に、ＣＰＵ１−１は、セルＳ３からセルＳ１への移動時と同様にして、セルタイマを起動し（ステップ６０１：図７の＃５）、基地局２−２から送られてくるスクランブリングコードと周波数との組合せから、移動先のセルがセルＳ２であることを認識し、セル保存リスト（図８）内のセル情報をチェックする（ステップ６０２）。ここで、セルＳ２に滞留した携帯電話機１の累積時間が上位Ｍ番目までに入っていれば（ステップ６０３のＹＥＳ）、ステップ６０４へ進み、上位Ｍ番目までに入っていなければ（ステップ６０３のＮＯ）、ステップ６０９へ進む。
【００２８】
この場合、セルＳ２に滞留した携帯電話機１の累積時間は「１時間」で、リスト中の３番目であり、上位Ｍ（Ｍ＝２）番目までに入っていないので、ステップ６０９へ進む。ステップ６０９において、ＣＰＵ１−１は、ステップ６０１でその計時を開始したセルタイマの計時時間、すなわちセルＳ２における携帯電話機１の滞留時間をチェックし、この滞留時間が所定時間Ｔ（Ｔ＝３時間）となれば（ステップ６０９のＹＥＳ）、通信品質の測定周期を短周期ＴＳから長周期ＴＬに変更する（ステップ６１０）。
【００２９】
この例において、ユーザはセルＳ２に４時間留まった後、他の任意のセルへ移動するので、セルＳ２に入ってから３時間が経過した時点で、通信品質の測定周期が短周期ＴＳから長周期ＴＬに変更される（図７の＃６）。これにより、ユーザがセルＳ２から他の任意のセルに移動するまでの１時間の間、通信品質の測定周期が長周期ＴＬとされ、通信品質の測定回数が減少し、携帯電話機１での消費電力の増大が防がれる。
【００３０】
〔セルＳ２から他の任意のセルへの移動：移動３〕
ユーザがセルＳ２に４時間留まった後、他の任意のセルへ移動すると、ＣＰＵ１−１は、このセル間の移動を検知し（ステップ６１１のＹＥＳ）、セルタイマをリセットすると共に（ステップ６０６）、セル保存リストを更新し（ステップ６０７：図７の＃７）、通信品質の測定周期をそれまでの長周期ＴＬから短周期ＴＳへ変更する（ステップ６０８：図７の＃８）。
【００３１】
図９にこの時の更新後のセル保存リストを示す。この場合、ＣＰＵ１−１は、セルタイマのリセット直前の計時時間を読み取り、この計時時間をそれまでのセルＳ２における累積時間にプラスし、セルＳ２における新たなる累積時間とする。なお、この場合も、上述と同様に、セル保存リストの更新に際し、そのセル情報を累積時間の長い順に並べ替える。この例では、ユーザがセルＳ２に４時間留まったので、セルＳ２における累積時間が「５時間」とされる。この累積時間はセルＳ３における累積時間（３時間）よりも長いので、セルＳ２のセル情報とセルＳ３のセル情報との順番が入れ替えられる。
【００３２】
なお、ユーザがセルＳ２に入った後、３時間経過する前に他の任意のセルに移動した場合（ステップ６１２のＹＥＳ）、ＣＰＵ１−１は、ステップ６０６，６０７と同様にして、セルタイマのリセット、セル保存リストの更新を行う（ステップ６１３，６１４）。
【００３３】
〔セル情報の削除〕
また、図６に示したフローチャートには示されていないが、ＣＰＵ１−１は、セル保存リストを定期的にチェックし、その累積時間が一定期間（Ｘ日）更新されないセル情報については、そのセル情報をセル保存リストから削除する。例えば、図９に示したセル保存リストにおいて、セルＳ１における累積時間がＸ日間更新されなかった場合、すなわちＸ日間ユーザがセルＳ１に入らなかった場合、セル保存リストからセルＳ１のセル情報が削除される。この場合、セル保存リストでは、以降のセル情報が順次繰り上がるという形となる。
【００３４】
以上の説明から分かるように、本実施の形態の携帯電話システム１００では、携帯電話機１において、基地局２との間の通信品質の測定周期が動的に変化するので、携帯電話機１での消費電力の節約が図られ、携帯電話機１での通話時間や待ち受け時間を長くすることができるようになる。また、会社や自宅など携帯電話機１を持つユーザが長時間留まると思われる基地局２のセルＳでは、基地局２との間の通信品質のレベルに拘わらず通信品質の測定周期が長くなるので、すなわち基地局２との間の通信品質のレベルが低くても通信品質の測定周期が長くなるので、特許文献１に示された通信品質の測定周期の制御方法ではなし得なかった携帯電話機１での消費電力の増大を防ぐことができる。
【００３５】
参考として、図１０に、携帯電話機１の要部の機能ブロック図を示す。携帯電話機１は、セル間移動検知手段１１と、セルタイマ１２と、セル保存リスト１３と、上位Ｍ番内判定手段１４と、Ｔ時間経過判定手段１５と、通信品質測定周期変更手段１６と、セル情報削除手段１７とを備えている。
【００３６】
この機能ブロック図において、セル間移動検知手段１１は、携帯電話機１のセル間移動を検知する。セルタイマ１２は、セル間移動検知手段１１によってセル間移動が検知されると、その計時動作を開始する。セル保存リスト１３はセル情報を保持する。セル保存リスト１３におけるセル情報は、セル間移動検知手段１１によってセル間移動が検知されると、セルタイマ１２における計時時間に基づいて更新される。
【００３７】
上位Ｍ番内判定手段１４は、セル間移動検知手段１１によってセル間移動が検知されると、セル保存リスト１３にアクセスし、移動先のセルに滞留した累積時間が上位Ｍ番目までに入っているか否かを判定し、上位Ｍ番目までに入っていれば、通信品質測定周期変更手段１６へ短周期ＴＳから長周期ＴＬへの変更命令を送る。上位Ｍ番目までに入っていなければ、Ｔ時間経過判定手段１５へ、Ｔ時間経過判定指令を送る。
【００３８】
Ｔ時間経過判定手段１５は、上位Ｍ番内判定手段１４からのＴ時間経過判定指令を受け、セルタイマ１２が計測する移動先のセルに入ってからの経過時間をチェックし、この経過時間が予め定められている所定時間Ｔに達すれば、通信品質測定周期変更手段１６へ短周期ＴＳから長周期ＴＬへの変更命令を送る。
【００３９】
通信品質測定周期変更手段１６は、上位Ｍ番内判定手段１４からの短周期ＴＳから長周期ＴＬへの変更命令に応じ、またＴ時間経過判定手段１５からの短周期ＴＳから長周期ＴＬへの変更命令に応じ、通信品質の測定周期を短周期ＴＳから長周期ＴＬへ変更する。また、セル間移動検知手段１１がセル間移動を検知すると、通信品質の測定周期を長周期ＴＬから短周期ＴＳへ戻す。
セル情報削除手段１７は、セル保存リスト１３を定期的にチェックし、累積時間がＸ日間更新されなかったセル情報をセル保存リスト１３から削除する。
【００４０】
なお、上述においては、セル間移動時にセルタイマのリセット直前の計時時間を読み取り、セル保存リストにおける累積時間に加算するようにしたが、セルに入ってから所定時間が経過する毎に、そのセル情報の累積時間を更新するようにしてもよい。この場合、累積時間の単位は、累積時間の更新間隔を減らすために、秒や分ではなく、時間（Hour）とした方がよい。
【００４１】
また、上述においては、ＩＭＴ−２０００（Ｗ−ＣＤＭＡ）の携帯電話システムを例にとって説明したが、他のシステムにも同様にして適用することが可能である。但し、この場合、セルの識別方法は各々のシステムに適応させる必要がある。
また、上述においては、通信品質の測定周期を短周期ＴＳから長周期ＴＬへと変更する際、条件１と条件２とを組み合わせるようにしたが、条件１だけとしてもよく、条件２だけとしてもよい。
【００４２】
また、上述においては、暫定的に、Ｍ＝２個、Ｔ＝３時間、ＴＳ＝２秒、ＴＬ＝２０秒としたが、これらの値はあくまでも一例であり、必要に応じて任意に定められるものであることは言うまでもない。
また、通信携帯端末も携帯電話機に限られるものではなく、ＰＨＳ、通信機能を有するＰＤＡなどの携帯機器などへも同様にして適用することができる。
【図面の簡単な説明】
【００４３】
【図１】本発明の実施に用いる携帯電話システムの一例を示すブロック構成図である。
【図２】この携帯電話システムにおける携帯電話機のハード構成の概略を示す図である。
【図３】Ｗ−ＣＤＭＡの携帯電話システムで想定されている無線インターフェイスのプロトコルアーキテクチャを示す図である。
【図４】基地局毎にその基地局のセルに留まった携帯電話機の時間を累積したセル保存リストの一例を示す図である。
【図５】携帯電話機を持つユーザの行動の一例を示す図である。
【図６】携帯電話機におけるＣＰＵの通信品質測定周期変更プログラムに従う処理動作を説明するフローチャートである。
【図７】図５に示したユーザの行動に伴う通信品質の測定周期の変更状況を示すタイムチャートである。
【図８】ユーザがセルＳ１からＳ２へ移動した時の更新後のセル保存リストを示す図である。
【図９】ユーザがセルＳ２から他の任意のセルへ移動した時の更新後のセル保存リストを示す図である。
【図１０】携帯電話機の要部の機能ブロック図である。
【符号の説明】
【００４４】
１００…携帯電話システム、１…携帯電話機、２…基地局、３…ＲＮＣ、４…ＣＮ、Ｓ…通信エリア（セル）、１−１…ＣＰＵ、１−２…ＲＡＭ、１−３…ＲＯＭ、１−４…操作部、１−５…表示部、１−６，１−７…インターフェイス、１１…セル間移動検知手段、１２…セルタイマ、１３…セル保存リスト、１４…上位Ｍ番内判定手段、１５…Ｔ時間経過判定手段、１６…通信品質測定周期変更手段、１７…セル情報削除手段。
【図１】
2006229292.tif 000003
【図２】
2006229292.tif 000004
【図３】
2006229292.tif 000005
【図４】
2006229292.tif 000006
【図５】
2006229292.tif 000007
【図６】
2006229292.tif 000008
【図７】
2006229292.tif 000009
【図８】
2006229292.tif 000010
【図９】
2006229292.tif 000011
【図１０】
2006229292.tif 000012